(57)【特許請求の範囲】
【請求項１】
液体燃料と空気との混合気を燃焼する燃焼部と、
前記液体燃料を前記燃焼部に供給するポンプと、
前記燃焼部に空気を供給する燃焼用送風機と、
前記ポンプおよび前記燃焼用送風機の作動を制御する制御部と、を備えている燃焼装置であって、
前記制御部には、消火時に生じる炭化水素濃度に基づいて火力の基準レベルが設定されており、
前記制御部は、
燃焼の停止信号を受信したときに、前記燃焼部の火力が前記基準レベルよりも大きい場合には、
前記停止信号を受信したときから第一設定時間に達するまでの間に、前記ポンプによる前記液体燃料の供給量および前記燃焼用送風機による空気の供給量を所定時間毎に同じタイミングで段階的に低下させて、前記燃焼部の火力を前記基準レベルまで低下させ、
前記第一設定時間に達する前に、前記燃焼部の火力が前記基準レベルまで低下した場合には、前記燃焼部の火力を前記基準レベルに維持し、
前記第一設定時間後の第二設定時間に達すると、前記ポンプによる前記液体燃料の供給および前記燃焼用送風機による空気の供給を停止させるとともに、
前記停止信号を受信したときに、前記燃焼部の火力が前記基準レベル以下である場合には、
前記停止信号を受信したときから前記第二設定時間に達するまでは、前記停止信号を受信したときの前記ポンプによる前記液体燃料の供給量および前記燃焼用送風機による空気の供給量を維持し、
前記第二設定時間に達すると、前記ポンプによる液体燃料の供給および前記燃焼用送風機による空気の供給を停止させることを特徴とする燃焼装置。
【請求項２】
前記制御部には、前記燃焼部の火力レベルが設定されており、
前記基準レベルは、前記火力レベルのうち、消火時に生じる炭化水素濃度が最も少ない前記火力レベルに設定されていることを特徴とする請求項１に記載の燃焼装置。
【発明の詳細な説明】
【技術分野】
【０００１】
本発明は、石油ファンヒータ等の暖房機である燃焼装置に関する。
【背景技術】
【０００２】
石油ファンヒータ等の暖房機としては、作動スイッチが切に操作されると、燃焼部への灯油の供給量を最小流量に切り替えて燃焼を継続した後に消火するように構成されているものがある（例えば、特許文献１参照）。
この構成では、作動スイッチが操作された後に、最小の火力によって燃焼を続けることで、燃焼部の未燃焼ガスを燃焼することができる。
【先行技術文献】
【特許文献】
【０００３】
【特許文献１】特開２００６−２４２５２１号公報
【発明の概要】
【発明が解決しようとする課題】
【０００４】
前記した従来の燃焼装置では、作動スイッチが切に操作されたときに、大きな火力から最小の火力に急に切り替わると、未燃焼ガスが多く発生するため、未燃焼ガスに含まれる炭化水素による臭気を十分に低減することができない場合がある。
【０００５】
本発明は、前記した問題を解決し、燃焼を停止するときに発生する臭気を十分に低減することができる燃焼装置を提供することを課題とする。
【課題を解決するための手段】
【０００６】
前記課題を解決するため、本発明は、液体燃料と空気との混合気を燃焼する燃焼部と、前記液体燃料を前記燃焼部に供給するポンプと、前記燃焼部に空気を供給する燃焼用送風機と、前記ポンプおよび前記燃焼用送風機の作動を制御する制御部と、を備えている燃焼装置である。前記制御部には、消火時に生じる炭化水素濃度に基づいて火力の基準レベルが設定されている。前記制御部は、燃焼の停止信号を受信したときに、前記燃焼部の火力が前記基準レベルよりも大きい場合には、前記停止信号を受信したときから第一設定時間に達するまでの間に、前記ポンプによる前記液体燃料の供給量および前記燃焼用送風機による空気の供給量を所定時間毎に同じタイミングで段階的に低下させて、前記燃焼部の火力を前記基準レベルまで低下させるように構成されている。前記第一設定時間に達する前に、前記燃焼部の火力が前記基準レベルまで低下した場合には、前記燃焼部の火力を前記基準レベルに維持するように構成されている。前記第一設定時間後の第二設定時間に達すると、前記ポンプによる前記液体燃料の供給および前記燃焼用送風機による空気の供給を停止させるように構成されている。また、前記制御部は、前記停止信号を受信したときに、前記燃焼部の火力が前記基準レベル以下である場合には、前記停止信号を受信したときから前記第二設定時間に達するまでは、前記停止信号を受信したときの前記ポンプによる前記液体燃料の供給量および前記燃焼用送風機による空気の供給量を維持するように構成されている。前記第二設定時間に達すると、前記ポンプによる液体燃料の供給および前記燃焼用送風機による空気の供給を停止させるように構成されている。
【０００７】
なお、本発明における基準レベルの火力とは、消火時に外部に漏れる臭気を利用者が不快に感じなくなる火力である。つまり、消火時に未燃焼ガスの発生が少なくなり、燃焼部の炭化水素濃度が十分に低くなる火力である。
【０００８】
本発明の燃焼装置では、燃焼を停止するときに、燃焼部の火力を段階的に小さくした後に消火している。このように、燃焼部の火力を段階的に低下させることで、火力の低下による未燃焼ガスの発生を抑制し、段階的に少しずつ発生した未燃焼ガスを効果的に燃焼させることができる。
また、本発明の燃焼装置では、液体燃料の供給量とともに空気の供給量も段階的に低下させるため、燃料または空気の過剰供給による異常燃焼を防ぐことができる。
したがって、本発明の燃焼装置では、作動を停止するときに、大きな火力で燃焼していた場合であっても、外部に漏れる臭気を十分に低減することができる。
【０００９】
前記した燃焼装置において、前記制御部に前記燃焼部の火力レベルが設定されている場合は、前記基準レベルを前記火力レベルのうち、消火時に生じる炭化水素濃度が最も少ない前記火力レベルに設定することで、外部に漏れる臭気を十分に低減することができる。
なお、消火時に生じる炭化水素濃度が最も少なくなる火力レベルとは、例えば、空燃比がおおよそ０．８８５の混合気を燃焼させたときの火力である。この火力では、燃焼の反応速度が早くなるため、消火時に未燃焼ガスの発生が少なくなり、燃焼部の炭化水素濃度が最も低くなる。
【発明の効果】
【００１２】
本発明の燃焼装置では、燃焼を停止するときに、外部に漏れる臭気を十分に低減することができ、利用者が臭気を不快に感じるのを防ぐことができる。
【図面の簡単な説明】
【００１３】
【図１】本発明の実施形態に係る燃焼装置を示した側断面である。
【図２】本発明の実施形態に係る燃焼装置を示した概略構成図である。
【図３】本発明の実施形態に係る燃焼装置において、停止信号を受信したときに火力が基準レベルよりも大きい場合の制御を示したタイムチャートである。
【図４】本発明の実施形態に係る燃焼装置において、停止信号を受信したときに火力が基準レベル以下である場合の制御を示したタイムチャートである。
【図５】本発明の実施形態に係る燃焼装置の制御を示したフローチャートである。
【発明を実施するための形態】
【００１４】
本発明の実施形態について、適宜図面を参照しながら詳細に説明する。
本実施形態の燃焼装置１は、図１に示すように、屋内に設置される暖房機であり、灯油を燃料として、温風を吹き出すように構成された石油ファンヒータである。
【００１５】
燃焼装置１は、箱状の本体部１０を有している。本体部１０内には、燃焼部２０、燃料タンク３０、ポンプ４０、燃焼用送風機５０および対流用送風機６０が収容されている。さらに、本体部１０内には、ポンプ４０、燃焼用送風機５０および対流用送風機６０の作動を制御する制御部７０が収容されている。
【００１６】
本体部１０の前面には、本体部１０の内部から外部に向けて温風を吹き出すための吹出口１１が開口している。
本体部１０の前面の上部には、操作部１５が設けられている。操作部１５には、燃焼装置１の燃焼の開始および停止を指示するための作動スイッチ１６（図２参照）が設けられるとともに、温度調整等の各種スイッチや作動状況を表示するモニタが設けられている。
【００１７】
燃焼部２０は、気化筒２１と、気化筒２１内に配置されたバーナー２２と、を備え、灯油と空気の混合気をバーナー２２で燃焼するように構成されている。気化筒２１は吹出口１１に対向する位置に配置されている。
【００１８】
燃料タンク３０は、本体部１０内の下部に配置されており、液体燃料である灯油が貯留されている。
ポンプ４０は、電磁式のプランジャポンプである。ポンプ４０によって汲み上げられた燃料タンク３０内の灯油は、給油管４１を通じてバーナー２２に供給される。
【００１９】
燃焼用送風機５０は、バーナー２２に空気を供給するものである。燃焼用送風機５０は、駆動モータ５１と、駆動モータ５１の出力軸に連結された送風ファン５２と、を備えている。
送風ファン５２は、送風管５３の一端部に収容されている。送風管５３の一端部は閉塞されており、他端部の開口部はバーナー２２に連結されている。送風ファン５２を送風管５３内で回転させると、送風管５３を通じてバーナー２２に空気が供給される。
【００２０】
対流用送風機６０は、燃焼部２０の燃焼ガスを吹出口１１から温風として吹き出させるための送風機である。対流用送風機６０は、気化筒２１に対して吹出口１１側の反対側に配置されている。
対流用送風機６０は、駆動モータ６１と、駆動モータ６１の出力軸に連結された送風ファン６２と、を備えている。
【００２１】
燃焼装置１では、ポンプ４０によってバーナー２２に灯油が供給されるとともに、燃焼用送風機５０によってバーナー２２に空気が供給され、灯油と空気の混合気をバーナー２２で燃焼するように構成されている。そして、燃焼装置１では、燃焼部２０の燃焼ガスを対流用送風機６０によって吹出口１１から温風として吹き出させることで、屋内を暖房することができる。
【００２２】
制御部７０は、図２に示すように、図示しないＣＰＵ（Central Processing Unit）や記憶部７１を有するコンピュータである。制御部７０の各手段による制御は、記憶部７１に予め記憶されたプログラムをＣＰＵが実行することで実現される。
制御部７０には、ポンプ４０、燃焼用送風機５０および対流用送風機６０の作動状態を変更することで、バーナー２２の火力を調整する燃焼調整手段７２が設けられている。
【００２３】
記憶部７１には、火力のレベル毎に、ポンプ４０による灯油の供給量および燃焼用送風機５０による空気の供給量が記憶されている。
また、記憶部７１には、燃焼部２０を消火する基準となる火力を示した基準レベルが記憶されている。
【００２４】
火力の基準レベルは、記憶部７１に記憶された火力レベルのうち、消火時に外部に漏れる臭気を利用者が不快に感じなくなる火力である。つまり、消火時に未燃焼ガスの発生が少なくなり、燃焼部２０の炭化水素濃度が十分に低くなる火力である。
本実施形態の基準レベルは、空燃比がおおよそ０．８８５の混合気を燃焼させたときの火力レベルである。この火力では、燃焼の反応速度が早くなるため、消火時に未燃焼ガスの発生が少なくなり、燃焼部２０の炭化水素濃度が最も低くなる。
【００２５】
燃焼調整手段７２は、操作部１５から受信した信号に基づいて、火力のレベルを選択し、そのレベルの火力となるように、ポンプ４０による灯油の供給量および燃焼用送風機５０による空気の供給量を調整する。また、燃焼調整手段７２は、火力のレベルに応じて対流用送風機６０の送風ファン６２の回転数を調整するように構成されている。
【００２６】
次に、燃焼装置１の燃焼を停止するときの制御部７０の制御について説明する。
図２に示すように、燃焼部２０が燃焼している状態で、操作部１５の作動スイッチ１６が切に操作されると、操作部１５から燃焼調整手段７２に停止信号が送信される（図５のステップＳ１）。
【００２７】
燃焼調整手段７２は、停止信号を受信すると、燃焼部２０の火力と、記憶部７１に予め記憶された基準レベルの火力とを比較する（図５のステップＳ２）。
【００２８】
燃焼調整手段７２は、燃焼部２０の火力が基準レベルの火力よりも大きい場合には、ポンプ４０による灯油の供給量を所定時間毎に段階的に低下させるとともに、燃焼用送風機５０による空気の供給量を所定時間毎に段階的に低下させ、火力のレベルを所定時間毎に段階的に低下させる（図３の０〜Ｔ１、図５のステップＳ３）。このとき、燃焼調整手段７２は、対流用送風機６０の送風ファン６２（図１参照）の回転数を段階的に低下させて、吹出口１１から吹き出す温風の風速を段階的に低下させる。
【００２９】
本実施形態の燃焼調整手段７２では、予め設定された約八秒の間（図３の０〜Ｔ１）に約一秒毎に火力のレベルを一段階ずつ低下させることで、火力のレベルを基準レベルまで低下させている。
なお、設定された時間（図３のＴ１）に達する前に、基準レベルに火力が達した場合には、燃焼調整手段７２は、設定された時間（図３のＴ１）まで基準レベルの火力を維持させる。
【００３０】
燃焼調整手段７２は、設定された時間（図３のＴ２）に達すると、ポンプ４０および燃焼用送風機５０を停止させ、燃焼部２０の燃焼を停止させる（図３のＴ２、図５のステップＳ４）。
【００３１】
燃焼調整手段７２は、燃焼を停止した後に、ポンプ４０の駆動および停止を短い間隔で繰り返させるとともに、対流用送風機６０の送風ファン６２（図１参照）を、停止信号を受信する前の回転数で回転させる（図３のＴ２からＴ３、図５のステップＳ５）。
【００３２】
本実施形態のポンプ４０は、灯油の供給および停止を短い間隔で繰り返すことで、プランジャによって吐出用逆止弁が押し開けられた状態となり、給油管４１内に残留している灯油の一部がシリンダに戻るように構成されている。
そして、前記したように、ポンプ４０の駆動および停止を短い間隔で繰り返すことで、燃焼装置１の作動を停止したときに、給油管４１から灯油が滴下し、臭気が生じるのを防ぐことができる。
【００３３】
燃焼調整手段７２は、ポンプ４０の駆動および停止を繰り返させた後に、所定時間（図３のＴ３）に達すると、ポンプ４０を停止させるとともに、燃焼用送風機５０によってバーナー２２に空気を供給させる（図３のＴ３からＴ４、図５のステップＳ６）。
このとき、燃焼用送風機５０による燃焼部２０への空気の供給量が、燃焼調整手段７２が停止信号を受信する前の供給量と同じになるように、燃焼調整手段７２は燃焼用送風機５０の送風ファン５２（図１参照）の回転数を調整する。
【００３４】
燃焼調整手段７２は、ポンプ４０を停止させた後に、所定時間（図３のＴ４）に達すると、燃焼用送風機５０および対流用送風機６０を停止させて、燃焼装置１の作動を停止させる（図３のＴ４、図５のステップＳ７）。
【００３５】
一方、燃焼調整手段７２が停止信号を受信したときに、燃焼部２０の火力が基準レベル以下である場合には、燃焼調整手段７２は、ポンプ４０、燃焼用送風機５０および対流用送風機６０の駆動を所定時間（図４のＴ２）に達するまで維持させる。（図４の０〜Ｔ２、図５のステップＳ８）。これにより、燃焼調整手段７２が停止信号を受信したときから所定時間（図４のＴ２）に達するまでは、停止信号を受信したときのポンプ４０による灯油の供給量および燃焼用送風機５０による空気の供給量が維持される。
【００３６】
燃焼調整手段７２は、停止信号を受信した後に、所定時間（図４のＴ２）に達すると、ポンプ４０および燃焼用送風機５０を停止させ、燃焼部２０の燃焼を停止する（図４のＴ２、図５のステップＳ９）。
【００３７】
燃焼調整手段７２では、燃焼を停止した後に、ポンプ４０の駆動および停止を短い間隔で繰り返させるとともに、対流用送風機６０を一旦停止して再起動させる（図４のＴ２からＴ３、図５のステップＳ１０）。
なお、燃焼調整手段７２は、対流用送風機６０の送風ファン６２（図１参照）を、燃焼調整手段７２が停止信号を受信する前の回転数で回転させる。
【００３８】
燃焼調整手段７２は、ポンプ４０の駆動および停止を繰り返させた後に、所定時間（図３のＴ３）に達すると、ポンプ４０を停止させるとともに、燃焼用送風機５０によってバーナー２２に空気を供給させる（図４のＴ３からＴ４、図５のステップＳ１０）。
このとき、燃焼用送風機５０による燃焼部２０への空気の供給量が、燃焼調整手段７２が停止信号を受信する前の供給量と同じになるように、燃焼調整手段７２は燃焼用送風機５０の送風ファン５２（図１参照）の回転数を調整する。
【００３９】
燃焼調整手段７２は、ポンプ４０を停止させた後に、所定時間（図４のＴ４）に達すると、燃焼用送風機５０および対流用送風機６０を停止させて、燃焼装置１の作動を停止させる（図４のＴ４、図５のステップＳ７）。
【００４０】
以上のような燃焼装置１では、燃焼を停止するときに、燃焼部２０の火力を段階的に小さくした後に消火している（図３参照）。このように、燃焼部２０の火力を段階的に低下させることで、火力の低下による未燃焼ガスの発生を抑制し、段階的に少しずつ発生した未燃焼ガスを効果的に燃焼させることができる。また、灯油の供給量とともに空気の供給量も同じタイミングで段階的に低下させているため、灯油および空気の供給量を低下させるタイミングがずれることによって、燃料または空気の過剰供給による異常燃焼を防ぐことができる。さらに、対流用送風機６０の駆動を継続することで、燃焼部２０の未燃焼ガスを拡散することができる。
また、ポンプ４０により灯油の供給量を一段階低下させるのに必要な時間よりも、燃焼用送風機５０により空気の供給量を一段階低下させる時間の方が時間がかかるため、灯油および空気の供給量を一段階低下させてから、所定時間以上が経過した後に、更に灯油および空気の供給量を低下させることで、その所定時間の間に空気の供給量が一段階低下して、灯油の供給量と空気の供給量が常に適正な供給量になる。これにより、空気の供給量の低下が灯油の供給量の低下に追いつかずに、空気過剰になって異常燃焼になることを防止することができる。
【００４１】
したがって、燃焼装置１では、作動を停止するときに、大きな火力で燃焼していた場合であっても、外部に漏れる臭気を十分に低減することができ、利用者が臭気を不快に感じるのを防ぐことができる。
【００４２】
また、燃焼装置１では、燃焼部２０の火力が基準レベル以下である場合には、所定時間が経過した後に、ポンプ４０および燃焼用送風機５０を停止することで、速やかに燃焼を停止することができる。
【００４３】
以上、本発明の実施形態について説明したが、本発明は前記実施形態に限定されることなく、その趣旨を逸脱しない範囲で適宜に変更が可能である。
例えば、図２に示す燃焼調整手段７２は、燃焼部２０の火力を基準レベルまで低下させた後に（図３のＴ２〜Ｔ３）、ポンプ４０の駆動および停止を短い間隔で繰り返させることなく、ポンプ４０が停止した状態を維持してもよい。
【符号の説明】
【００４４】
１      燃焼装置
１０    本体部
１１    吹出口
１５    操作部
１６    作動スイッチ
２０    燃焼部
２１    気化筒
２２    バーナー
３０    燃料タンク
４０    ポンプ
４１    給油管
５０    燃焼用送風機
５１    駆動モータ
５２    送風ファン
５３    送風管
６０    対流用送風機
６１    駆動モータ
６２    送風ファン
７０    制御部
７１    記憶部
７２    燃焼調整手段
【図１】
0006420595.tif 000002
【図２】
0006420595.tif 000003
【図３】
0006420595.tif 000004
【図４】
0006420595.tif 000005
【図５】
0006420595.tif 000006